(57)【要約】    【課題】回転ダンパ付き開閉機構などの組み立て時に、作業者が組み付け方向を意識せずに組み付けることができる回転ダンパを提供する。     【解決手段】  回転ダンパは、互いに相対回転自在な二部材間に取り付けられ、当該二部材が相対回転するとき、その相対回転に対して非対称な制動力を作用させる。回転ダンパは、両端側に設けられた断面が非円形の取付部３０ｃ，３０ｅと、筒状のハウジング３０ａと、該ハウジング３０ａ内に一部が回転自在に収納され該ハウジング３０ａに対して相対回転自在な回転部材３０ｂとからなり、両端側に設けられた取付部の中、一端側の取付部３０ｃは前記ハウジング３０ａの端部に形成され、他端側の取付部３０ｅは前記回転部材３０ｂの端部に形成されている。回転ダンパの一端側の取付部３０ｃと他端側の取付部３０ｅの形状は対称形となっており、左右どちらの向きでも取付可能となっている。【選択図】  図２
2008185215.tif 000002
【特許請求の範囲】
【請求項１】
互いに相対回転自在な二部材間に取り付けられ、当該二部材が相対回転するとき、その相対回転に対して制動力を作用させ、その回転方向によって作用する制動力が非対称な型の回転ダンパであって、両端側に設けられた断面が非円形の取付部３０ｃ，３０ｅと、筒状のハウジング３０ａと、該ハウジング３０ａ内に一部が回転自在に収納され該ハウジング３０ａに対して相対回転自在な回転部材３０ｂとからなり、前記両端側に設けられた取付部の中、一端側の取付部３０ｃは前記ハウジング３０ａの端部に形成され、他端側の取付部３０ｅは前記回転部材３０ｂの端部に形成されてなり、前記一端側の取付部３０ｃと他端側の取付部３０ｅの形状が対称形となるようにしたことを特徴とする回転ダンパ。
【発明の詳細な説明】
【技術分野】
【０００１】
本発明は洋式便器やピアノ等に用いられる開閉機構等に用いられる回転ダンパに関する。
【背景技術】
【０００２】
従来、図５に示すように、洋式便器等において、便器本体部材２側に一対のヒンジ部４，６を設け、便座又は便蓋などの開閉部材８側にヒンジ部１０，１２を設け、該開閉部材８側のヒンジ部１０，１２のうち、一方１０を対応する本体部材２側のヒンジ部４の右側に配置し、他方１２を、対応する本体部材２側のヒンジ部６の左側に配置し、対向するヒンジ部４とヒンジ部１０の間及びヒンジ部６とヒンジ部１２との間を、制動力が非対称型の方向性を有する回転ダンパ１４，１６で結合したダンパ付き開閉機構が知られている（例えば特許文献１参照）。
【０００３】
図５において、回転ダンパ１４の筒状のハウジング１４ａには、回転止め面を有する取付部１４ｂが形成され、該取付部１４ｂは、ヒンジ部４側に形成された、回転止め面を有する取付部４ａに結合している。回転ダンパ１４の回転部材１４ｃの、ハウジング１４ａから突出する軸状の部分には、回転止め面を有する取付部１４ｄが形成され、該取付部１４ｄは、ヒンジ部１０側に形成された、回転止め面を有する取付部１０ａに結合している。回転ダンパ１６とヒンジ部６，１２との関係も、上記と同様な取り付け構造となっている。図５中、左右の回転ダンパ１４，１６は同軸線上に配置されている。
【特許文献１】特開平１０−２０１６７０号公報
【発明の開示】
【発明が解決しようとする課題】
【０００４】
図５に示すように、従来の開閉機構に用いられる回転ダンパ１４，１６は、一端側の取付部１４ｂの形状と他端側の取付部１４ｄの形状が異なり、回転ダンパ１４，１６の両端取付部の形状は非対称形となっていた。そのため、開閉機構の組み立て時、作業者は回転ダンパ１４，１６の組み付け方向が正しいかどうかいちいち確認する必要があり、作業効率を悪くしていた。
本発明は上記問題点を解決することを目的とするものである。
【課題を解決するための手段】
【０００５】
上記目的を達成するため本発明は、互いに相対回転自在な二部材間に取り付けられ、当該二部材が相対回転するとき、その相対回転に対して制動力を作用させ、その回転方向によって作用する制動力が非対称な型の回転ダンパであって、両端側に設けられた断面が非円形の取付部３０ｃ，３０ｅと、筒状のハウジング３０ａと、該ハウジング３０ａ内に一部が回転自在に収納され該ハウジング３０ａに対して相対回転自在な回転部材３０ｂとからなり、前記両端側に設けられた取付部の中、一端側の取付部３０ｃは前記ハウジング３０ａの端部に形成され、他端側の取付部３０ｅは前記回転部材３０ｂの端部に形成されてなり、前記一端側の取付部３０ｃと他端側の取付部３０ｅの形状が対称形となるようにしたものである。
【発明の効果】
【０００６】
本発明は、開閉機構などの組み立て時に、作業者が回転ダンパの組み付け方向を意識せずに組み付けることができ、組み付け作業の効率を向上させることができる。
【発明を実施するための最良の形態】
【０００７】
以下に本発明の実施の形態を添付した図面を参照して詳細に説明する。
図１において、符号１８は本体部材を示し、洋式便器やピアノ、各種の蓋付き収納箱等の本体により構成される。前記本体部材１８の便座や便蓋、あるいはピアノの蓋などの開閉部材２０が取り付けられる部分には、所定間隔を存して、突片からなるヒンジ部２２，２４が設けられている。
【０００８】
このヒンジ部２２，２４は、本実施形態では２個であるが、特に２個に限定されるものではなく、２個以上設けても良い。前記開閉部材２０には、前記本体部材側のヒンジ部２２，２４に対応して、ヒンジ部２６，２８が形成されている。前記開閉部材２０側のヒンジ部２６，２８は、図１に示すように、対応する本体部材１８側のヒンジ部２２，２４の左側Ｓ１，Ｓ２に隣接配置されている。
【０００９】
尚、他の実施形態としては、開閉部材側のヒンジ部２６，２８を、対応する本体部材側のヒンジ部２２，２４の右側に隣接配置する構成としても良い。隣接対向する一対のヒンジ部２２，２６と、ヒンジ部２４，２８には、それぞれ同一軸線上に、回転ダンパ３０の筒状のハウジング３０ａを収納するハウジング収納部３４，３６と３８，４０が穿設されている。
【００１０】
また、前記軸線上には、前記ヒンジ部２２と２６、ヒンジ部２４と２８にそれぞれ、回転止め面を有する互いに同一形状のダンパ取付部２２ａと２６ａ、ダンパ取付部２４ａと２８ａが穿設されている。前記ダンパ取付部２２ａ，２４ａはヒンジ部２２，２４の片側Ｓ１，Ｓ２に開放され、ダンパ取付部２６ａ，２８ａはヒンジ部２６，２８の片側Ｓ３，Ｓ４に開放され、これら開放側から回転ダンパ３０が取り付けられるように構成されている。前記回転ダンパ３０は、筒状の、オイルが充填されたハウジング３０ａと、これに一部が回転自在に嵌合する回転部材３０ｂとからなり、本実施形態では、図３に示す構造の、回転方向によって異なる制動特性を出力する非対称型のものが使用されている。
【００１１】
非対称型回転ダンパは、回転部材３０ｂの、ハウジング３０ａに対する相対的な回転方向によって、負荷に作用する制動力が異なるものである。図３に示す非対称型回転ダンパ３０は、回転部材３０ｂが、ハウジング３０ａに対して初期位置（Ａ）の状態から時計方向に相対回転すると、回転部材３０ｂに作用するトルクは、図３（Ａ）（Ｂ）（Ｃ）（Ｄ）に示すように、低トルク、低トルク、低トルクから高トルク、高トルクと順次変化する。
【００１２】
高トルク（Ｄ）の状態から、回転部材３０ｂがハウジング３０ａに対して反時計方向に相対的に回転すると、回転部材３０ｂに作用するトルクは、高トルク、高トルクから低トルク、低トルクと順次変化する。図３に示す非対称型回転ダンパの内部構造は、特開２００１−３４９３６４号公報に示され、従来公知であり、しかも本発明は特に図３に示す内部構造の回転ダンパに限定されるものではないので、その詳細な説明を省略する。
【００１３】
前記ハウジング３０ａの一端底部の中心部には、該ハウジング３０ａと同軸線上に、軸状の、図２に示すように、回転止め面ａを有し断面が非円形の取付部３０ｃが突設されている。ハウジング３０ａ内には制動力を発揮せしめるための粘性流体が充填されている。３０ｄはハウジング３０ａのキャップである。また回転ダンパ３０の回転部材３０ｂには、前記取付部３０ｃと同一形状の、図２に示すように、回転止め面ａを有し断面が非円形の取付部３０ｅが、突設されている。
【００１４】
これにより、前記回転ダンパ３０は、軸方向の、図２中、左右両端側の取付部３０ｃ，３０ｅが左右対称形となっている。前記回転ダンパ３０，３０の各ハウジング３０ａは、前記ハウジング収納部３４，３６と３８，４０に回転自在に嵌合配置され、各取付部３０ｃと３０ｅは、それぞれ対応する取付部２６ａ，２２ａ及び２８ａ，２４ａに嵌合配置されこれらに結合されている。４２はストッパーであり、本体部材１８に設けられており、開閉部材２０が、図１中、左側方向に抜け出ないようになっている。
【００１５】
上記した構成において、開閉部材２０の蓋部分（図示省略）が図１中、紙面垂直方向に手前側に延びた蓋を閉じた状態から起立方向に揺動されると、矢印方向Ａから見たとき、開閉部材２０は、ヒンジ部２２，２４を支点として反時計方向に回転する。このとき、左側の回転ダンパ３０のハウジング３０ａは、回転部材３０ｂに対して、反時計方向に回転する。同様に、右側の回転ダンパ３０のハウジング３０ａは、回転部材３０ｂに対して、反時計方向に回転する。即ち、右側と左側の回転ダンパの回転方向は同一となる。
【００１６】
そのため、開閉部材２０のヒンジ部の右側と左側に同一構造の即ち１種類の非対称型回転ダンパを使用することができる。図１に示す、左右の回転ダンパは、それぞれ、取付部３０ｃを左側として互いに同一の向きでヒンジ部に装着しているが、回転ダンパ３０の向きはどのような向きとしても良い。
図４は、右側の回転ダンパ３０の軸方向の向きを左側の回転ダンパ３０の軸方向の向きとは逆に配置したものであるが、この場合でも、開閉部材２０が同様に閉じた状態から起立方向に揺動されたとき、右側の回転ダンパ３０の回転部材３０ｂが矢印方向Ａから見たとき、反時計方向に回転し、ハウジング３０ａを基準として見れば、ハウジング３０ａは、回転部材３０ｂに対して相対的に反時計方向に回転し、結果的に、左右の回転ダンパ３０，３０の回転方向は同一となる。
【００１７】
従って、回転ダンパ３０，３０は、任意の向きで、ヒンジ部２２と２６との間、ヒンジ部２４と２８との間に装着することができる。本発明に使用される非対称型回転ダンパは、従来公知の特開平４−２８２０３９号公報に開示されている回転ダンパや、その他の回転方向によってトルク特性の異なる構造のものを使用することができる。
【図面の簡単な説明】
【００１８】
【図１】本発明の実施形態を示す断面図である。
【図２】回転ダンパの外観説明図である。
【図３】回転ダンパの動作説明図である。
【図４】本発明の他の実施形態を示す断面図である。
【図５】従来技術の断面図である。
【符号の説明】
【００１９】
２      本体部材
４      ヒンジ部
６      ヒンジ部
８      開閉部材
１０    ヒンジ部
１２    ヒンジ部
１４    回転ダンパ
１６    回転ダンパ
１８    本体部材
２０    開閉部材
２２    ヒンジ部
２４    ヒンジ部
２６    ヒンジ部
２８    ヒンジ部
３０    回転ダンパ
３４    ハウジング収納部
３６    ハウジング収納部
３８    ハウジング収納部
４０    ハウジング収納部
【図１】
2008185215.tif 000003
【図２】
2008185215.tif 000004
【図３】
2008185215.tif 000005
【図４】
2008185215.tif 000006
【図５】
2008185215.tif 000007